(57)【特許請求の範囲】
【請求項１】
パッド被覆用のカバーに取り付けられる吊り込み部材の玉縁状膨出部に固着され、パッドに埋設され一部露出する鋼線に引っ掛け、カバーをパッドに吊り込み装着する吊り込み装着用クリップであって、
玉縁状膨出部への固着部と、
該玉縁状膨出部への固着部上で鋼線の軸線方向に少なくとも鋼線の太さより広い間隔で離れた位置に立設された左右の立ち上がり片と、
左右の立ち上がり片の上端に鋼線の軸線を挟んで互いに向かい合う方向へ曲折された鋼線抱え込み用引っ掛け爪と、が設けられ、
該左右の鋼線抱え込み用引っ掛け爪の先端が共に鋼線を超えた位置まで形成されるとともに、該左右の鋼線抱え込み用引っ掛け爪の曲折部の内側が鋼線の軸線と同一に形成された鋼線を抱え込むための鋼線引っ掛け曲面とされたことを特徴とする吊り込み装着用クリップ。
【請求項２】
上記鋼線抱え込み用引っ掛け爪上面を先端下方に向かって傾斜面としたことを特徴とする請求項１記載の吊り込み装着用クリップ。
【請求項３】
左右の鋼線抱え込み用引っ掛け爪の内側で近接する辺を先端下方に向かって細くなるよう切欠したことを特徴とする請求項１又は２記載の吊り込み装着用クリップ。
【請求項４】
上記鋼線抱え込み用引っ掛け爪の内側に形成された鋼線引っ掛け曲面に対応する鋼線受け曲面が該引っ掛け曲面の下方に形成されたものである請求項１又は２又は３記載の吊り込み装着用クリップ。
【発明の詳細な説明】
【技術分野】
【０００１】
本発明は、自動車シートなどの製造に使用されるクリップに関するもので、詳しくは、パッド被覆用のカバーに取り付けられる吊り込み部材の玉縁状膨出部に固着され、パッドに埋設され一部露出する鋼線に引っ掛け、カバーをパッドに吊り込み装着する吊り込み装着用クリップである。
【背景技術】
【０００２】
自動車シートなどは、パッドにパッド被覆用のカバー（トリムカバー）を被覆して造られる。このパッドは、通常ウレタンなどからなり、取り付け用に一部露出される鋼線が埋設されている。他方、パッド被覆用のカバーは、吊り込み部材のひれ状部に固着される。吊り込み部材のひれ状部と反対側端部には、玉縁状膨出部があり、玉縁状膨出部には吊り込み装着用クリップが固着されている。この吊り込み装着用クリップをパッドの鋼線に引っ掛けることによりパッドにパッド被覆用のカバーを吊り込み装着する。
【０００３】
従来、この吊り込み装着用クリップ（特許文献１では吊込み止着用クリップ）は、特許文献１に示されるように、チャック部６ａと、フック部６ｂと、ガイド部６ｃとから形成されている。チャック部６ａは吊込みコード３（通常吊り込み部材と称される）の膨出条３ａを抱え込み保持する略Ｕ字状の本体６０を有する。フック部６ｂは、インサートワイヤ４（本発明では鋼線）の軸線を曲り内に掛け止めるよう略Ｃ字状に形成されており、ガイド部６ｃは、インサートワイヤ４の軸線をフック部６ｂの曲り内に誘導する間隔６ｄを隔ててフック部６ｂと相対するように形成されている。このような吊込み止着用クリップは、フック部６ｂの曲り内に誘導する間隔６ｄを鋼線（インサートワイヤ４）に向かって直線的に押し込み、フック部６ｂの曲り内に鋼線（インサートワイヤ４）を掛け止めるものである。尚、この項目における符号は特許文献１において用いられるものである。
【０００４】
吊り込み装着用クリップは、容易に外れてしまうものであってはならない。しかし、上記特許文献１に示される吊込み止着用クリップでは、鋼線に向かって直線的に押し込むものであるので、構造上外れにくさを求めると強い力で押すなど装着しにくいという問題があった。その上、該クリップが装着される鋼線の埋設されているパッドは、通常ウレタンのような柔らかい素材でできているため、該クリップを強い力で押すとパッドと共に鋼線が逃げてしまうことがあった。
【先行技術文献】
【特許文献】
【０００５】
【特許文献１】特開２００６−１２２５９４号公開特許公報
【発明の概要】
【発明が解決しようとする課題】
【０００６】
本発明は上記問題点を解決するため、左右に分離された鋼線抱え込み用の引っ掛け爪を、強い力で鋼線を押圧することなく、鋼線が左右の引っ掛け爪の間の間隙を通過するよう鋼線に対して角度を付けて、差し入れてから、該左右の引っ掛け爪を鋼線と平行になるよう捻って、吊り込み装着用クリップの引っ掛け爪の内側に鋼線を引っ掛けるものとすることにより、強い力を加えなくても、たやすく鋼線に装着することのできる吊り込み装着用クリップを提供することを目的とする。
【０００７】
更に、鋼線抱え込み用の引っ掛け爪が、左右の立ち上がり片の上端を鋼線の軸線を挟んで互いに向かい合う方向に曲折して形成されることにより、装着は上記のように容易であっても、容易に鋼線から引っ掛け爪が外れることのない吊り込み装着用クリップを提供することを目的とする。
【課題を解決するための手段】
【０００８】
上記課題を解決するため、第１の発明は、パッド被覆用のカバーに取り付けられる吊り込み部材の玉縁状膨出部に固着され、パッドに埋設され取り付け用に一部露出する鋼線に引っ掛け、カバーをパッドに吊り込み装着する吊り込み装着用クリップに、次の手段を採用した。
第１に、玉縁状膨出部への固着部が設けられる。
第２に、該玉縁状膨出部への固着部上で鋼線の軸線方向に少なくとも鋼線の太さより広い間隔で離れた位置に立設された左右の立ち上がり片が設けられる。
第３に、左右の立ち上がり片の上端に鋼線の軸線を挟んで互いに向かい合う方向へ曲折された鋼線抱え込み用引っ掛け爪が設けられる。
第４に、該鋼線抱え込み用引っ掛け爪の先端が共に鋼線を超えた位置まで形成される。
第５に、左右の鋼線抱え込み用引っ掛け爪の曲折部の内側が鋼線の軸線と同一に形成された鋼線を抱え込むための鋼線引っ掛け曲面とされる。
【０００９】
第２の発明は、第１の発明における鋼線抱え込み用引っ掛け爪上面を先端下方に向かって傾斜面としたことを特徴とする吊り込み装着用クリップである。
【００１０】
第３の発明は、第１又は第２の発明での左右の鋼線抱え込み用引っ掛け爪の内側で近接する辺を先端下方に向かって細くなるよう切欠したことを特徴とする吊り込み装着用クリップである。
【００１１】
第４の発明は、第１又は第２又は第３の発明に次の点を付加した吊り込み装着用クリップである。即ち、鋼線抱え込み用引っ掛け爪の内側に形成された鋼線引っ掛け曲面に対応する鋼線受け曲面が該鋼線引っ掛け曲面の下方に形成されたものである吊り込み装着用クリップである。
【発明の効果】
【００１２】
第１の発明は、左右に分離された鋼線抱え込み用引っ掛け爪を、鋼線を押圧することなく、鋼線が左右の鋼線抱え込み用引っ掛け爪の間の間隙を通過するよう鋼線に対して角度を付けて、差し入れてから、該左右の鋼線抱え込み用引っ掛け爪を鋼線と平行になるよう捻って、吊り込み装着用クリップの鋼線抱え込み用引っ掛け爪の内側に鋼線を引っ掛けるものとすることにより、強い力を加えなくても、たやすく鋼線に装着することのできる吊り込み装着用クリップとなった。加えて、吊り込み装着用クリップを強い力で押すことがないので鋼線自体も押し込まれることがなく、鋼線が逃げてしまうことによる装着の困難性はなくなり、鋼線に対して確実に装着できる吊り込み装着用クリップとなった。
【００１３】
更に、鋼線抱え込み用引っ掛け爪が、左右の立ち上がり片の上端を鋼線の軸線を挟んで互いに向かい合う方向に曲折して形成されることにより、容易に鋼線から鋼線抱え込み用引っ掛け爪が外れることのない吊り込み装着用クリップとなった。
【００１４】
第２及び第３の発明の効果ではあるが、鋼線抱え込み用引っ掛け爪上面を先端下方に向かって傾斜面としたこと、及び、左右の鋼線抱え込み用引っ掛け爪の内側の近接する辺を先端下方に向かって細くなるよう切欠したことにより、鋼線抱え込み用引っ掛け爪の鋼線への装着が容易な吊り込み装着用クリップとなった。
【００１５】
第４の発明の効果ではあるが、鋼線抱え込み用引っ掛け爪の内側に鋼線に対する上部の鋼線引っ掛け曲面と下部の鋼線受け曲面とが形成されることにより、鋼線を引っ掛け爪内側で確実にホールドでき、容易に脱落することのない吊り込み装着用クリップとなった。
【図面の簡単な説明】
【００１６】
【図１】本発明に係る吊り込み装着用クリップの側面説明図
【図２】同正面説明図
【図３】同斜視説明図
【図４】吊り込み装着用クリップの使用状態を示す説明図
【図５】鋼線に装着された状態の吊り込み装着用クリップの斜視説明図
【図６】左右の引っ掛け爪の内側近接辺に切欠部を形成した吊り込み装着用クリップの斜視説明図
【図７】引っ掛け爪の内側に上部の鋼線引っ掛け曲面と下部の鋼線受け曲面を形成した吊り込み装着用クリップの斜視説明図
【発明を実施するための形態】
【００１７】
以下，図面に従って，実施例とともに本発明の実施の形態について説明する。図４は吊り込み装着用クリップの使用状態を示す説明図であり、図４中斜線で示されている符号２が、自動車シートのパッドであり、符号３がパッド２を被覆するカバーである。パッド２には、鋼線４がカバー３の吊り込み装着用に切欠穴５、１５より一部が露出するよう埋設されている。パッド２に吊り込み装着されるカバー３は、吊り込み部材６のひれ状部７の一方側に縫い付けられており、他方側に玉縁状膨出部８が形成されている。
【００１８】
本実施例に係る吊り込み装着用クリップ１は、吊り込み部材６の玉縁状膨出部８に固着されており、該吊り込み装着用クリップ１をパッド２の切欠穴５、１５から露出している鋼線４に引っ掛けることによりカバー３をパッド２に吊り込み装着するものである。以下吊り込み装着用クリップ１の実施例につき詳細に説明する。
【００１９】
吊り込み装着用クリップ１の第１実施例が、図１乃至図５に示される。図１は本発明に係る吊り込み装着用クリップの側面説明図であり、図２は同正面説明図であり、図３は同斜視説明図であり、図４は吊り込み装着用クリップの使用状態を示す説明図であり、図５は鋼線に装着された状態の吊り込み装着用クリップの斜視説明図である。
【００２０】
吊り込み装着用クリップ１は、玉縁状膨出部８への固着部９と、該固着部９上で鋼線４の軸線方向に少なくとも鋼線４の太さより広い間隔で離れた位置に立設された左右の立ち上がり片２０、２１と、左右の立ち上がり片２０、２１の上端に鋼線４の軸線を挟んで互いに向かい合う方向へ曲折し、曲折部の内側を鋼線引っ掛け曲面１７とした引っ掛け爪３０、３１とからなる。
【００２１】
固着部９は、図示の第１実施例においては図１、図３及び図５に示されるように、玉縁状膨出部８をくわえ込み、玉縁状膨出部８に吊り込み装着用クリップ１自体を固着するため、側面及び側断面が逆Ｕ字状に形成され、更に、下端部が、くわえ込まれる玉縁状膨出部８の軸線を挟んで向かい合う対の逆さ爪を形成されたものである。尚、固着部９と玉縁状膨出部８とは、より確実に固着するために接着剤による方法や結束帯による方法やレーザー透過溶着方法や超音波振動溶着方法など適宜の方法が追加採用される。玉縁状膨出部８での固着位置は、パッド２の切欠穴５、１５の位置に対応して決定される。
【００２２】
立ち上がり片２０、２１は、固着部９の上面から固着部９と反対方向の上方に向かって同じ太さで立設され、その上端に鋼線４を抱え込むための引っ掛け爪３０、３１が形成されている。第１実施例では、左右の立ち上がり片２０、２１は、鋼線４の軸線方向（図２中左右方向）に左右の立ち上がり片２０、２１の太さと同等の広さの間隙を設けて立設されているが、少なくとも鋼線４の太さより広い間隙で適宜の間隙が設けられれば良い。
【００２３】
引っ掛け爪３０、３１は、立ち上がり片２０、２１の上端を鋼線４の軸線を挟んで互いに向かい合う方向へ曲折して形成され、該曲折部内側を鋼線４の鋼線引っ掛け曲面１７としている。図１、図３及び図５では、引っ掛け爪３０が図中右下がりに形成され、引っ掛け爪３１が図中左下がりに形成されている。尚、左右の引っ掛け爪３０、３１の鋼線引っ掛け曲面１７は、鋼線４を引っ掛け保持するために、鋼線４の軸線方向と同一に形成されている。
【００２４】
尚、引っ掛け爪３０、３１の上面１２は、先端下方に向かった傾斜面とされているが、図７に示す第２実施例の引っ掛け爪３０、３１の上面１３のように傾斜面ではない平坦面とされていても良い。更に、左右の引っ掛け爪３０、３１の近接する内側辺を、図６に示されるように、先端下方に向かって細くなるよう切欠した切欠部１４を設けたものとすることが好ましい。このように切欠部１４を設けることにより、引っ掛け爪３０、３１を鋼線４に引っ掛けるのがより容易となる。
【００２５】
以下、第１実施例に係る吊り込み装着用クリップ１の使用方法について説明する。吊り込み装着用クリップ１は、吊り込み部材６の玉縁状膨出部８に固着されており、玉縁状膨出部８の反対側のひれ状部７には、パッド２を被覆するカバー３が装着されている。この吊り込み装着用クリップ１をパッド２の切欠穴５、１５に向かって挿入し、鋼線４を押圧する前に、鋼線４が立ち上がり片２０、２１及び引っ掛け爪３０、３１の間の間隙を通過するよう、吊り込み装着用クリップ１を鋼線４に対して傾けて押し込み、鋼線４に対して引っ掛け爪３０、３１を平行に戻しながら、引っ掛け爪３０、３１の内側に鋼線４を引っ掛ける。
【００２６】
上記のように吊り込み装着用クリップ１の立ち上がり片２０、２１及び引っ掛け爪３０、３１の間の間隙を利用することにより、鋼線４を押圧することなく吊り込み装着用クリップ１を鋼線４に対して簡単に装着することができる。更に、左右の引っ掛け爪３０、３１の近接する内側辺を、図６に示されるように、先端下方に向かって細くなるよう切欠した切欠部１４を設けたものとすれば、よりスムーズに吊り込み装着用クリップ１を鋼線４に対して装着することができる。
【００２７】
このようにして、吊り込み装着用クリップ１を鋼線４に引っ掛け、被覆用のカバー３をパッド２に吊り込み装着するものである。
【００２８】
図７は、吊り込み装着用クリップ１の第２実施例を示す斜視説明図、即ち、引っ掛け爪３０、３１の内側に上部の鋼線引っ掛け曲面１７と下部の鋼線受け曲面１６を形成した吊り込み装着用クリップの斜視説明図であり、鋼線引っ掛け曲面１７と鋼線受け曲面１６で鋼線４をしっかりと保持できる吊り込み装着用クリップ１となった。
【符号の説明】
【００２９】
１・・・・・・・・・吊り込み装着用クリップ
２・・・・・・・・・パッド
３・・・・・・・・・カバー
４・・・・・・・・・鋼線
５、１５・・・・・・切欠穴
６・・・・・・・・・吊り込み部材
７・・・・・・・・・ひれ状部
８・・・・・・・・・玉縁状膨出部
９・・・・・・・・・固着部
１２、１３・・・・・上面
１４・・・・・・・・切欠部
１６・・・・・・・・鋼線受け曲面
１７・・・・・・・・鋼線引っ掛け曲面
２０、２１・・・・・立ち上がり片
３０、３１・・・・・引っ掛け爪
【図１】
0005598702.tif 000002
【図２】
0005598702.tif 000003
【図３】
0005598702.tif 000004
【図４】
0005598702.tif 000005
【図５】
0005598702.tif 000006
【図６】
0005598702.tif 000007
【図７】
0005598702.tif 000008